(57)【要約】      （修正有）【課題】携帯用として、何時でも、何処でも、寝た姿勢はもとより、座った姿勢、凭れる物体があれば立った姿勢でも使用できる健康、携帯用指圧用具を提供する。【解決手段】携帯用指圧用具は、厚みのある略長方形状の本体１の両辺中央部にそれぞれ凸部を設け、本体の表面中央に同一線上に雌ネジ部１０を有する雌座金板孔９を複数等間隔に設け、雌座金板孔を囲うように表面中央に座金板溝８を設け、座金板溝に嵌り、それぞれの雌座金板孔に相当する位置に孔７を有する座金板６を接着剤で張り付け、長手方向の両端にベルト１１を設けた本体と指圧部１５と雄ネジ部４からなり、指圧部と雄ネジ部との接続部分に座金５を接着固定した、雌座金板孔に装着可能な複数の指圧体３からなる。【選択図】図２
2018122073.tif 000002
【特許請求の範囲】
【請求項１】
厚みのある略長方形状の本体の両辺中央部にそれぞれ凸部を設け、本体の表面中央に同一線上に雌ネジ部１０を有する雌座金板孔９を複数等間隔に設け、雌座金板孔９を囲うように表面中央に座金板溝８を設け、前記座金板溝８に嵌り、それぞれの雌座金板孔９に相当する位置に孔を有する座金板６を接着剤で張り付け、長手方向の両端にベルト１１を設けた本体１と指圧部１５と雄ネジ部４からなり、指圧部と雄ネジ部との接続部分に座金５を接着固定した、雌座金板孔９に装着可能な複数の指圧体３からなる携帯用指圧用具。
【発明の詳細な説明】
【技術分野】
【０００１】本発明は携帯用として本体１から指圧体３、ベルト１１は容易に着脱可能であり座った姿勢、立った姿勢で、何時でも何処でも凭れる物体があれば、患部に刺激を与え疲れからくる凝りや痛みを即に和らげ軽減し、治す健康具である
【背景技術】
【０００２】従来は指圧用具は限られた場所、限られた時間そして仰向けの姿勢で寝ることで首、背中、腰に指圧体を、患部に添えて凝りや痛みに刺激を与え軽減を計った。
【先行技術文献】
【特許文献】
【０００３】
【特許文献１】特開  ２００８−０９３３８０
【特許文献２】特開  ２００８−０１１９８２
【特許文献３】特開平  ０８−１５５００１
【特許文献４】実登  ３００９４３９
【発明の概要】
【発明が解決しようとする課題】
【０００４】本発明は携帯用指圧用具であるから椅子、座椅子に座って新聞、雑誌を読みながら、テレビを観ながら、人と会話をしながらリラックスして使用できます。また、長時間車内仕事上座っての同じ姿勢での疲れからくる凝りや痛みを即く使用することで患部に刺激を与え和らげてくれる。
更に、檜木材を使用することで檜木材特有の硬くもなく柔らかくもなく弾力性に富み  また独特の香りを有し癒される効果も期待できる。
【課題を解決するための手段】
【０００５】本発明  携帯用指圧用具の特徴は指圧用具本体１の両端部に、面ファスナー１２−１を施しベルト先端１２に面ファスナーと装着して胴体、股に巻き付けて上下の移動を防ぎ安定かつ的確に患部を捉えることができる
更に、本発明は指圧体の長さを４種類設け患部の凝りや痛みの具合に応して強弱が得られるよう簡単に着脱自在・交換可能に施こした点も大きな特徴である
【発明の効果】
【０００６】本発明は何時でも何処でも疲れからくる凝りや痛みが発生した時にをいても凭れる物件座れる場所さえあれば緊急に対応できる。更に患部の痛みの度合に応じて指圧体３を簡単に着脱自在に交換ができることが即ち携帯用指圧用具ならではの最大の利点である
【図面の簡単な説明】
【０００７】
【図１】本発明の斜視図である。
【図２】本発明の全体を分解した斜視図である
【図３】本発明の裏面全体を分解した斜視図である。
【図４】本発明の表面（基板）に指圧体が装着した状能の平面図である
【図５】本発明の基板上に指圧体が装着していない状態での平面図である
【図６】本発明の本体に指圧体が装着してある状態での立面図である。
【図７】本発明の本体に指圧体が装着してある状態での断面図である
【図８】本発明の本体に指圧体の各々の長さ（高さ）を表した立面図である
【図９】本発明の本体雌ネジ部と指圧体雄ネジ部とが装着した状態と本体基板裏面に面ベルトが装着した一部を表した詳細断面図である。
【図１０】本発明を座った状態で使用している姿勢の姿図である。
【図１１】本発明を上部肩甲骨には襷掛けで使用し、背中腰廻りは体に巻き付けての姿勢の姿図である
【図１２】本発明を立ち姿でも使用可能な姿図である
【図１３】本発明は使用者の体形、患部の位置に応じて指圧体を左右横方向に移動し組合せもできる平面図である。
【発明を実施するための形態】
【０００８】以下、本発明の実施の形態について説明する
（イ）本発明の大きな特徴は、座って背中から腰廻り、ももうら等、患部あるいは患部周辺に指圧体３を当てることによって疲学からくる筋肉の凝りや痛みを和らげる健康具である。
更に、何時、何処でも携帯用として座る所と凭れる壁が有れば使用可能である。
（ロ）厚みのある略長方形状の本体１の、長手方向の両端にベルト１１を一体と成して体に巻き付けて的確に患部に宛がいベルト先端の面ファスナーにて装着する。
（ハ）本発明は、本体１を体に巻き付けた時に長方形状では不安定なために、上下転びが生じない様に本体両辺中央部にそれぞれ凸部を設ける
（ニ）本体１の表面中央に同一線上に雌ネジ部１０を有する雌座金板孔９を複数等間隔に設ける。雌座金板孔９を囲うように表面中央に座金板溝８を設ける。
前記座金板溝８に嵌り、それぞれの雌座金板孔９に相当する位置に孔を有する座金板６を接着剤で張り付ける。座金板６は硬質性ゴムからなり厚さ２ｍｍ程度が好ましい。
（ホ）指圧体３は、指圧体１５と雄ネジ部４からなり、指圧部と雄ネジ部との接続部分に座金５を接着固定する。座金５は硬質性ゴムからなり厚さ２ｍｍ程度が好ましい。
（ヘ）本体硬質性ゴム座金板と指圧体硬質性ゴム座金は、廻しながら挿入、装着して座金板と座金が接触部分はゴム同質性材質であり摩擦係数が高まり締め付けが増大し容易に外れることなく安定が計れる。更にゴムを使用することによって指圧体を着脱する際に雄ネジ部先端と雌ネジ部孔口端の破損を防いでいる。
（ト）本発明は本体基板に左２ヶ所、右２ヶ所、計４ヶ所に指圧体を挿入して支える雌ネシ部を設けてある。
指圧体を廻すだけで簡単に着脱可能な構造になっている。
このことからして使用者の体形患部の位置に応じて左右横方向に組合せもできる。（図１３参照）
（チ）本発明は簡単に着脱自在、交換可能であり、その時々使用される人の患部の疲労からくる凝りや痛みの具合に対応して強弱が計れるよう、指圧体自体の長さ４種類の部品（本体装着時は高さ）を整えた。（図８参照）
（リ）本発明は本体裏面の両端部中央にベルト、面ファスナーの溝を施し、面ファスナーの片辺を接着剤で貼りっけてある。
そこにベルト、面ファスナーと着脱するのである。
更に、本体裏面両端部を円形状に細工したのは凭れる物体側に損傷や破損が生じないよう施したためである。
【符号の説明】
【０００９】１    本体
２    基板
３    指圧体
４    雄ネジ部
５    座金
６    座金板
７    座金板孔
８    座金板溝
９    雌座金板孔
１０  雌ネジ部
１１  ベルト
１２  面ファスナー
１２−２  本体付面ファスナー
１３  面ファスナー溝
１４  基板裏
１５  指圧部
【図１】
2018122073.tif 000003
【図２】
2018122073.tif 000004
【図３】
2018122073.tif 000005
【図４】
2018122073.tif 000006
【図５】
2018122073.tif 000007
【図６】
2018122073.tif 000008
【図７】
2018122073.tif 000009
【図８】
2018122073.tif 000010
【図９】
2018122073.tif 000011
【図１０】
2018122073.tif 000012
【図１１】
2018122073.tif 000013
【図１２】
2018122073.tif 000014
【図１３】
2018122073.tif 000015